(57)【特許請求の範囲】
【請求項１】
半導体結晶から構成される放射線検出器と、前記放射線検出器にバイアス電圧を印加するための電源と、前記放射線検出器からのパルス信号を増幅する前置増幅器と、前置増幅器からの出力信号を波形整形する波形整形回路を２系統有し、前記２系統の波形整形回路は互いに異なる時定数で前記出力信号波形を整形する機能を有し、前記２系統の波形整形回路からの信号を演算処理することでガンマ線のエネルギーを決定する機能を有する放射線計測装置において、前記２系統の波形整形回路から得られる２つのパルス波高値の差分を利用して、前記２系統の波形整形回路からの信号のいずれかを補正することで前記ガンマ線のエネルギーを求めることを特徴とする放射線計測装置。
【請求項２】
請求項１に記載の放射線計測装置において、
前記差分を求める前記２系統の波形整形回路から得られるパルス波高値は共に、前記放射線検出器で検出した同じフォトン入射によるパルス信号の情報を含むことを特徴とする放射線計測装置。
【請求項３】
請求項１に記載の放射線計測装置において、
前記２系統の波形整形回路からの信号は互いに、同一時間に前記増幅器に入力されたパルス信号を含む前記出力信号を整形したものであることを特徴とする放射線計測装置。
【請求項４】
請求項１に記載の放射線計測装置において、
求めるガンマ線のエネルギー値を前記２系統の波形整形回路から得られる２つのパルス波高値の差分と、前記２系統の波形整形回路からの信号のうち短い時定数を有する側の回路から得られるパルス波高値の逆数とを利用して求めることを特徴とする放射線計測装置。
【請求項５】
請求項１に記載の放射線計測装置において、
前記２系統の波形整形回路からの信号のうち長い時定数を有する側の回路から得られるパルス波高値をＨｓ、短い時定数を有する側の回路から得られＨｓに対して正規化したパルス波高値をＨｆ、係数をｋとすると、最終的に波高値ＨをＨ＝Ｈｓ＋ｋ（Ｈｓ−Ｈｆ）と演算することにより求めることを特徴する放射線計測装置。
【請求項６】
請求項４に記載の放射線計測装置において、
前記２系統の波形整形回路からの信号のうち長い時定数を有する側の回路から得られるパルス波高値をＨｓ、短い時定数を有する側の回路から得られＨｓに対して正規化したパルス波高値をＨｆ、係数をｋとすると、最終的に波高値ＨをＨ＝Ｈｓ＋ｋ・（Ｈｓ−Ｈｆ）Ｈｓ／Ｈｆと演算することにより求めることを特徴する放射線計測装置。
【請求項７】
請求項４に記載の放射線計測装置において、
前記２系統の波形整形回路からの信号のうち長い時定数を有する側の回路から得られるパルス波高値をＨｓ、短い時定数を有する側の回路から得られＨｓに対して正規化したパルス波高値をＨｆ、係数をｋとすると、最終的に波高値ＨをＨ＝Ｈｓ・exp（ｋ（Ｈｓ−Ｈｆ）／Ｈｆ）と演算することにより求めることを特徴する放射線計測装置。
【請求項８】
請求項１から請求項７までのいずれかに記載された放射線計測装置において、
前記半導体結晶がテルル化カドミウムである放射線計測装置。
【請求項９】
請求項１から請求項８までのいずれかに記載された放射線計測装置を搭載した核医学診断装置。
【発明の詳細な説明】
【技術分野】
【０００１】
本発明は、半導体を検出素子として用いた放射線計測装置およびそれを用いた核医学診断装置に関するものである。
【背景技術】
【０００２】
放射線検出器としての半導体検出器は、測定するＸ線やガンマ線に対するエネルギー分解能がシンチレータ検出器と比較して優れているという特徴を有する。そのためＸ線やガンマ線のエネルギーを正確に測定するためにシリコンやゲルマニウムなどの半導体放射線検出器が利用されている。しかしシリコンは原子番号が１４と小さくかつ密度も約２.３ｇ／cm3と小さいため、高エネルギーＸ線やガンマ線の吸収能力が小さいという問題がある。またゲルマニウムは原子番号が３２、密度は５.４ｇ／cm3とシリコンより大幅に吸収能力が高いが、バンドギャップが０.７ｅＶと小さく、液体窒素温度程度まで冷却して使用しなければならない問題がある。一方、Ｘ線やガンマ線の吸収能力が高くかつ室温使用可能な半導体検出器が近年開発されてきている。代表的なものがテルル化カドミウム（ＣｄＴｅ）やテルル化亜鉛カドミウム（ＣｄＺｎＴｅ）で、例えばＣｄＴｅは実効原子番号が５０、密度が５.８ｇ／cm3とゲルマニウムよりさらに吸収能力が優れ、またバンドギャップが１.４ｅＶと大きく室温での使用が可能である。しかしテルル化カドミウムやテルル化亜鉛カドミウムなどの化合物半導体はシリコンやゲルマニウムよりも電子やホールなどのキャリヤの結晶内での輸送能力が低い問題がある。半導体を放射線検出器として使用する場合、ガンマ線が結晶内で光電効果が生じると、キャリヤが生成され、このキャリヤを外部回路で電荷量あるいは電流という形で計測する。そのため半導体検出器の善し悪しを示す指標として、キャリヤの移動度と寿命との積であるμτ積が使用されている。概してこのμτ積が大きいほどエネルギー分解能が良好で優れており、小さいとエネルギー分解能が悪化するため良くない。テルル化カドミウムやテルル化亜鉛カドミウムなどの半導体はシリコンやゲルマニウムと比較するとμτ積が小さく、エネルギー分解能は劣る。そのためＸ線やガンマ線のエネルギーの精密な測定には不向きである。しかし例えばガンマカメラや単光子放射断層撮影（ＳＰＥＣＴ）などの核医学診断装置や、屋外で使用される放射性物質探知装置などは従来シンチレータが使用されており、それを半導体検出器に置き換えてエネルギー分解能が良くなれば機能向上としては十分である。
【０００３】
テルル化カドミウムやテルル化亜鉛カドミウムなどの材料は前述のようにシリコンやゲルマニウムと比較するとμτ積が小さい。特にホールのμτ積が小さいことが問題である。その中でもテルル化亜鉛カドミウムは特にホールのμτ積が小さく、それを回避するため非特許文献１に示した電極構造および読出し回路の工夫によりホールの影響を受けない構造が提案され使用されている。この方法は電子のみで信号の読み取りを行う優れた方法であるが、電極がホールからの誘導電荷の影響を受けにくいように陽極を細かく分割し、陰極との距離を大きくする必要がある。そのため比較的大型の結晶に向いた方法であるが、結晶内で特性が一定である必要があり、大型かつ均一な結晶を製作するという困難さがある。一方テルル化カドミウムはテルル化亜鉛カドミウムほどホールのμτ積は小さくないため、テルル化亜鉛カドミウムのような複雑な電極構造はほとんど使用されず平板電極型（プレーナ型）で使用されることが多い。しかし電極間距離すなわち素子厚を大きくするとホールのμτ積が小さい影響がエネルギー分解能に現れるため、０.５mm〜１.０mm厚という比較的薄い素子が通常使用されている。
【０００４】
特許文献１に開示されている方法は、異なった時定数を有する２系統のシェーピング回路を用いる方法である。この方法はホールのμτ積が小さいことを前提に補正を行うものであり、エネルギー分解能の向上が期待できる。具体的な補正方法に関しては非特許文献２および非特許文献３に記載されている方法が開示されており、２系統のシェーピング回路からの出力のうち高速シェーピング回路出力をＶｆ、低速シェーピング回路出力をＶｓとするとＶｆ／Ｖｓを使用する方法である。また、非特許文献４はバイパラメトリック補正と呼ばれる補正方法の基本原理が記載されているもので、電子による誘導電荷の立ち上がりとホールによる誘導電荷の立ち上がりの違いを利用する方法である。
【先行技術文献】
【特許文献】
【０００５】
【特許文献１】特許第３６２２９６７号公報
【非特許文献】
【０００６】
【非特許文献１】P.N.Luke,“Unipolar charge sensing with coplanar electrodes-application to semiconductor detectors”, IEEE Transactions on Nuclear Science, Vol.42 No.4, pp.207-213
【非特許文献２】N. Auricchino, A. Basili, E. Caroli, A. Donati, T. Franceschini, F. Frontera, M. Hage-Ali, G. Landini, A. Roggio, F. Schiavone, J. B. Stephen, and G. Ventura, “Compensation of CdZnTe Signals Using a Twin Shaping Filter Technique”, IEEE Transactions on Nuclear Science, Vol.51(5), pp.2485-2491, 2004.
【非特許文献３】N. Auricchino, L. Amati, A. Basili, E. Caroli, A. Donati, T. Franceschini, F. Frontera, G. Landini, A. Roggio, F. Schiavone, J. B. Stephen, and G. Ventura,“Twin Shaping Filter Techniques to Compensate the Signals From CZT/CdTe Detectors”, IEEE Transactions on Nuclear Science, Vol.52(5), pp.1982-1988, 2005.
【非特許文献４】Y. Eisen, Y. Horovitz,“Correction of incomplete charge collection in CdTe detectors”, Nuclear Instruments and Methods in Physics Research section A, vol.353, pp.60-66, 1994.
【発明の概要】
【発明が解決しようとする課題】
【０００７】
テルル化カドミウムはテルル化亜鉛カドミウムと比較するとホールのμτ積が大きく、平板型電極のものが主として使用されている。しかしその厚さは高々０.５〜１mm程度であり、これを例えばＳＰＥＣＴ装置に用いる場合は非常に多数の素子を平面上に並べる必要があった。しかし必要とする解像度より小型の素子しか使用できない場合、素子数が多いと余分なコストが多くかかるだけでなく、不感領域も増えるという問題が生じる。素子厚は厚い方が素子数は減らすことができるが、従来は厚い素子を用いるとエネルギー分解能が悪化するために素子厚増大には限界があるという課題があった。ひとつの解決方法として電圧を大きくしてキャリヤの移動を高速化する方法もあるが、同じ性能を得るためには素子厚の２乗に比例した電圧が必要である。例えば１mm厚素子で電圧５００Ｖの場合と同じ性能を得るためには２mm厚素子では４倍の２０００Ｖの電圧を印加しなければならない。これは信頼性の面で極めて不利であり、実用的とはいえない。そのため印加電圧の極端上昇を招くことなく、エネルギー分解能の向上を図る方法が望まれていた。非特許文献２および非特許文献３の方法でも効果はあるものの、さらに効果が大きい補正方法が望まれている。
【課題を解決するための手段】
【０００８】
半導体結晶から構成される放射線検出器と、前記放射線検出器にバイアス電圧を印加するための電源と、前記放射線検出器からのパルス信号を増幅する前置増幅器と、前置増幅器からの出力信号を波形整形する波形整形回路を２系統有し、前記波形整形回路は互いに異なる時定数で出力信号波形を整形する機能を有し、前記２系統の波形整形回路からの信号を演算処理することでガンマ線のエネルギーを決定する機能を有する放射線計測装置において、求めるガンマ線のエネルギー値を前記２系統の波形整形回路から得られる２つのパルス波高値の差分を利用して求めることを特徴とする放射線計測装置。
【発明の効果】
【０００９】
本発明により、厚い半導体素子を用いた場合でも、印加すべき電圧を素子厚の２乗まで増大させることなく良好なエネルギー分解能を得られる効果がある。またＶｆ／Ｖｓを利用した場合よりもその効果が大きい。
【図面の簡単な説明】
【００１０】
【図１】本発明の適用の前提となる放射線計測装置の回路を模式的に示した図。
【図２】本発明を実施しない場合の図１で得られるガンマ線計測結果を示した図。
【図３】実施例１の６６２keＶガンマ線計測結果を示した図。
【図４】実施例１における１２２keＶ，６６２keＶ，１１７３keＶおよび１３３３keＶのガンマ線測定結果を示した図。
【図５】実施例２の６６２keＶガンマ線計測結果を示した図。
【図６】実施例３の６６２keＶガンマ線計測結果を示した図。
【図７】実施例４の放射線計測装置の回路を模式的に示した図。
【図８】本実施例の放射線計測装置を搭載したＳＰＥＣＴ装置の構成を模式的に示した斜視図。
【発明を実施するための形態】
【００１１】
以下、放射線計測装置およびそれを用いた核医学診断装置について実施例を説明する。
【００１２】
放射線計測装置における検出器には電離箱，シンチレーション検出器，半導体検出器，積算線量計などがあり、用途に応じて使い分けられている。ガンマ線やＸ線の線量だけでなく、そのエネルギー情報を得たい場合、半導体検出器が使用されるのが一般的である。これは半導体に入射したガンマ線やＸ線が半導体内でエネルギー変換されて多量の電子やホールといったキャリヤ電荷を発生させ、その電荷量がガンマ線やＸ線のエネルギーに比例するからである。すなわち電荷量を計測することでエネルギーを知ることができるため、高精度な測定結果が得られる。シンチレーション検出器においても同様にガンマ線やＸ線を光に変換した後、光電子増倍管やフォトダイオードでその光量を測定してエネルギーを求めることはできるが、一度光に変換するために高精度なエネルギー情報を得ることは困難である。そのため半導体検出器が専ら使用されるのである。
【００１３】
半導体検出器として用いられる材料としては、シリコン，ゲルマニウム，テルル化カドミウム，テルル化亜鉛カドミウムなどが知られている。シリコンはＩＣなどでも使用されている最も知られている材料であるが、原子番号が１４と小さく密度も低いためガンマ線やＸ線が結晶内で反応する確率が低く、主として元素分析装置などＸ線のエネルギーが低い用途に使用されている。ゲルマニウムは原子番号が３２で若干大きく、キャリヤの移動度も大きくエネルギー識別能力（エネルギー分解能）が極めて良好な検出器である。しかしゲルマニウムはそのバンドギャップが約０.７ｅＶと小さいために漏れ電流が大きく、使用する際には低温に冷却する必要がある。テルル化カドミウムやテルル化亜鉛カドミウムはバンドギャップが１.４ｅＶ〜１.６ｅＶ程度であり、室温でも漏れ電流が小さく放射線検出器として使用できるものである。また平均原子番号も５０程度と大きく、ガンマ線やＸ線に対する感度が高い。テルル化亜鉛カドミウムは３種類の元素を用いるもので、結晶を歩留まり良く得るのが困難であるが、２種類の元素からなるテルル化カドミウムは歩留まりが比較的良く、近年量産することが可能となってきた材料である。
【００１４】
テルル化カドミウムは前述のように室温で使用でき、Ｘ線やガンマ線に対する感度が高い放射線検出器である。この材料は通常はダイオード化して逆バイアス電圧を印加して使用されるものである。しかしこのテルル化カドミウム等の化合物半導体はホール移動度やホール寿命が小さい場合が多く、放射線検出器の性能を表わす指標として使用されるμτ積が小さいことが多い。具体的にはシリコンやゲルマニウムにおけるホールのμτ積（単位：cm2／Ｖ）はそれぞれ３３および４０程度であるのに対して、テルル化カドミウムでは１×１０-4、テルル化亜鉛カドミウムでは１×１０-5程度と極めて小さい。そのためテルル化カドミウムやテルル化亜鉛カドミウムでは結晶内でキャリヤが生じた位置に応じて特にホールが電極に達する前に消滅する場合がある。その結果、ガンマ線が光電効果を生じる結晶内の厚さ方向の位置に応じて電極まで移動できる電荷量が変化する。半導体検出器では電荷量からガンマ線のエネルギーを求めているため、電荷量の変化は観測されるエネルギー値の変動となり、エネルギー分解能を悪化させる要因となる。そのため横軸を電荷量すなわちガンマ線のエネルギーを反映したパルス波高値，縦軸を計数としたエネルギースペクトルを見ると、ガンマ線のエネルギーに相当する主ピークがあり、それが低エネルギー側にテールを引く形状となる。この低エネルギー側へのテールが主としてホールのμτ積が小さいために生じるものであり、エネルギー分解能を悪化させる要因である。なおエネルギースペクトルでガンマ線のエネルギーに対応するピークが細くて高い鋭い形状であるほどエネルギー分解能は良く、そのピーク高さの半値幅をピークの横軸位置で除した数値がエネルギー分解能として評価される。
【００１５】
上記に示したように化合物半導体を用いた放射線検出器ではホールのμτ積が小さいという問題がある。そのための対策がこれまで提案されている。例えばテルル化亜鉛カドミウムでは電荷信号のうち、ホールが寄与する分を小さくしてほとんど電子による電荷信号を利用する方法が知られている。これは非特許文献１に示されているが、陽極側の電極を細かく分割する方法である。ホールは陰極側へ収集されるため、陽極からは遠ざかる。陽極は細かく分割されているためその誘導電荷も分散して生じ、個々の陽極に誘導される電荷はわずかになる。一方電子は陽極に接近するときに大きな誘導電荷を生じ、大きな信号電荷となる。このようにテルル化亜鉛カドミウムでは陽極を分割して用いられることが多い。ただしこの方法は陽極を細かくして陰極と陽極との距離を大きくする必要があり、大型で均質な結晶が求められるが、実際の製作は困難で高い歩留まりを得にくい。一方テルル化カドミウムはホールのμτ積がテルル化亜鉛カドミウムよりは１０倍程度大きい。そのため前述のテルル化亜鉛カドミウムと同様の手法が採用されることも稀にあるが、多くの場合は電極を分割せずに単純な平板対向電極で用いるか、あるいは目的がホールの影響除去ではなくピクセル分割であり比較的薄い素子が電極分割して用いられることが多い。この場合はホールの輸送能力の低さの影響を強く受けるため、素子厚さは１mm程度までとされることが多い。すなわち素子厚さ方向のどの位置でキャリヤが生じても、１mm程度までであればホールのほとんどが陰極に達する程度の厚さとなっている。しかしそれでもホールは完全に収集されるわけではなく、わずかに低エネルギー側のテールは残る。また、素子厚さを２倍の２mm程度とする場合、ホールの陰極での収集効率を１mmの場合と同等とするためには４倍の電圧が必要であり、例えば１mmで５００Ｖで済んだ印加電圧は２mmの場合は２０００Ｖが必要で、これは信頼性の面から現実的な値とは言い難い。このホールのμτ積が小さい問題に対する解決策として提案されたもう一つの方法が、バイパラメトリック補正と呼ばれる補正方法である。これは非特許文献４にその基本原理が記載されているもので、電子による誘導電荷の立ち上がりとホールによる誘導電荷の立ち上がりの違いを利用する方法である。電子のμτ積はホールのμτ積より１桁以上大きいため、電極で観測される電荷信号の立ち上がり速度も両者の異なるものが重畳して現れる。そのためこの立ち上がりを計測すれば、結晶内の厚さ方向でガンマ線が光電効果を生じた位置がわかり、位置に応じて電荷量を後から補正することができる。また電荷信号の立ち上がりを直接測定するのは複雑な専用の回路が必要となるが、そのような専用の回路を用いることなく、従来用いられているシェーピング回路を２系統、異なる時定数で用いる方法が非特許文献２に開示されている。この場合シェーピング回路の１系統は速い時定数として電子の寄与が大きい信号を取得し、他の１系統を遅い時定数として電子とホールとの両方の寄与する信号を取得するものである。
【００１６】
ここで課題となるのが、得られた２つの信号からどのようにもとのエネルギー値に近い値を得るかということである。ここで非特許文献２では高速シェーピング回路の出力をＶｆ、低速シェーピング回路の出力をＶｓとするとＶｆ／Ｖｓの値を利用して補正を行う方法が示されている。しかしこの方法による補正精度や、それが広いエネルギー範囲でも成立する妥当性に関しては示されておらず、より精度が高く、広いエネルギー範囲に適用可能な方法が求められていた。
【００１７】
この課題は、入力されたパルスを低速シェーピング回路で処理した出力をＨｓ、高速シェーピング回路で処理した出力をＨｓで規格化した値Ｈｆを用い、Ｈｓ−Ｈｆという差分を用いることで解決される。さらに（Ｈｓ−Ｈｆ）をＨｆで除した（Ｈｓ−Ｈｆ）／Ｈｆの値を補正に用いるとより大きな効果が得られる。またさらにその（Ｈｓ−Ｈｆ）／Ｈｆに対して指数関数、すなわちexp（ｋ（Ｈｓ−Ｈｆ）／Ｈｆ））を補正に用いても大きな効果が得られる。なおｋは補正強度を調節するための係数である。またＨｆやＨｓはオフセットなどの誤差の影響を差し引いたものであり、使用されるシステムにより誤差を増減させることもある数値である。
【００１８】
本実施例により、広いエネルギー範囲における妥当性を保ちつつ、高い精度でエネルギー値を補正することが可能となった。比較的薄い素子でわずかに残っているホールによる低エネルギー側のテールも、本発明を用いることで低減でき高いエネルギー分解能を実現できる。
【００１９】
以上の効果は性能が良好な放射線計測装置を得るばかりでなく、低コストの核医学診断装置を得るためにも好適である。例えばＳＰＥＣＴ装置では大面積のピクセル型検出器が必要であるが、これは２mm程度の厚さのテルル化カドミウム素子ならば効率よく製作することができる。すなわち素子厚が１mm程度まで小さいと位置分解も必然的に１mm程度となるが、これは過剰な位置分解能であり多数の素子が必要なため製造コストが増大する。２mm厚程度のテルル化カドミウムならば素子数は半分またはそれ以下で済むため製造コストの大幅な抑制が可能である。よって低コストのＳＰＥＣＴ装置の製作には本発明は有効であり、その結果安価に診断装置の利用が可能になるという重要な効果が得られる。
【００２０】
以下、各実施例について図面を用いて説明する。尚、異なる図面について同じ符号を付した構成は説明を省略する。
【００２１】
実施例１で、低速シェーピング回路出力をＨｓ、高速シェーピング回路出力をＨｓで規格化した値Ｈｆを用い、Ｈｓ−Ｈｆという差分を用いることを説明する。実施例２で（Ｈｓ−Ｈｆ）にＨｓを乗じＨｆで除する（Ｈｓ−Ｈｆ）Ｈｓ／Ｈｆを用いることを説明する。さらに実施例３で、（Ｈｓ−Ｈｆ）をＨｆで除した（Ｈｓ−Ｈｆ）／Ｈｆの値を補正に用いるとより大きな効果が得られることを説明する。実施例４で、さらにその（Ｈｓ−Ｈｆ）／Ｈｆに対して指数関数、すなわちexp（ｋ（Ｈｓ−Ｈｆ）／Ｈｆ））を補正に用いても大きな効果が得られる。なおｋは補正強度を調節するための係数である。またＨｆやＨｓはオフセットなどの誤差の影響を差し引いたものであり、使用されるシステムにより誤差を増減させることもある数値である。
【実施例１】
【００２２】
次に、本発明の実施形態を、放射線計測装置を例に詳細に説明する。
【００２３】
本実施例の前提となる放射線計測装置における放射線検出器および演算器までの回路構成を図１に示す。図１の放射線計測装置の回路構成は、半導体素子を有し放射線を検出する検出器１，高電圧を検出器に印加する高電圧電源２，増幅回路３，高速シェーピング回路８，低速シェーピング回路９，Ａ／Ｄ変換器１０，Ａ／Ｄ変換器１１，演算器１２から構成されている。テルル化カドミウム半導体からなる検出器１はダイオードと等価であり、通常は逆バイアスで使用される。図１における高電圧電源２の出力は負極性となっているため、ダイオードとしての接続は図示の方向でよい。
【００２４】
まず、放射線計測時の動作を説明する。半導体放射線検出器である検出器１には高電圧電源２から負極性かつ直流のバイアス電圧が印加されている。これはダイオードの逆バイアスに相当し、検出器１内では空乏層が形成されるため、ガンマ線１４の入射がなければ検出器１には直流の漏れ電流がわずかに流れるだけである。検出器１にガンマ線１４が入射すると内部にキャリヤ電荷が生じ、ガンマ線の１フォトンあたりのエネルギーに応じた電荷量のパルス電流信号が検出信号として流れる。この検出信号は高周波パルス電流であり、コンデンサ６を通過し、増幅回路３へ達する。増幅回路３の入力側端子と出力側端子の間には並列にコンデンサ４，抵抗５が接続される。増幅回路３の動作はコンデンサ４により積分回路となっており、パルス電流信号は積分されて電荷の値が得られる。そのまま積分を続けると次々とパルス電流信号が入ってきて飽和するため、それを防ぐために抵抗５が接続されている。したがって増幅回路３からは検出器１から出た電荷量に対応した波高を有し、コンデンサ４と抵抗５とで決まる時定数で減衰するパルス電圧波形が出力される。次に増幅回路３から出力されたパルス電圧は高速シェーピング回路８および低速シェーピング回路９の両方に入力される。高速シェーピング回路８は短い時定数を有するバンドパスフィルタとなっており、ここからは検出器１からの速い電流信号成分すなわち電子の移動による速い変化に比例した成分がバンドパスフィルタによって取りだされ、増幅される。そのため高速シェーピング回路８からは、検出器１においてキャリヤが陰極付近で生成した場合は電子の走行距離が長いため大きい波高値のパルスが、キャリヤが陽極付近で生成した場合は電子の走行距離が短いため小さい波高値のパルスが出力される。一方低速シェーピング回路９は長い時定数を有するバンドパスフィルタとなっており、電子およびホールの両方の電荷を十分積分し、検出器１にてガンマ線１４により生じた全キャリヤ電荷量に比例した成分がバンドパスフィルタによって取りだされ、増幅される。そのため低速シェーピング回路９からの出力パルスはその波高値がガンマ線１４のエネルギーを反映したものとなる。ただしホールが電極で収集される前に再結合して消滅するような場合は電荷量が減少するため、エネルギー精度が低下すなわちエネルギー分解能は低下する。
【００２５】
低速シェーピング回路９から出力されるパルスの波高値はホールのμτ積が小さいために生じる再結合の影響を受けてガンマ線エネルギーの反映精度が低下する。この精度低下は検出器１におけるガンマ線１４の光電効果が生じる位置を反映したものである。陽極付近で光電効果が生じるとホールは検出器１の陽極付近から陰極までの長い距離を移動しなければならないため、再結合するものが多くなる。光電効果が陰極付近で生じれば再結合はほとんど生じない。よって光電効果が生じた位置がわかればその値の補正は可能である。一方高速シェーピング回路８はほぼ電子のみの電流信号によるパルス波高を出力するが、これは検出器１において光電効果が生じた位置を強く反映したものである。したがって高速シェーピング回路８からのパルス波高値を利用して、低速シェーピング回路９の波高値を補正すれば再結合の影響をキャンセルすることができる。その結果ホールの再結合の影響を抑制でき、高いエネルギー分解能を得ることができる。
【００２６】
高速シェーピング回路８の波高値はピークホールド機能付きのＡ／Ｄ変換器１０によりディジタル化され、また低速シェーピング回路９の波高値はピークホールド機能付きのＡ／Ｄ変換器１１によりディジタル化されてともに演算器１２へ送られる。なおピークホールドは信号パルスの波高値を一定時間維持してＡ／Ｄ変換するために用いられるものである。Ａ／Ｄ変換されたデータは演算器１２で所定の演算をおこなって最終的にガンマ線のエネルギーを決定する。次に実際の測定例に関して説明する。検出器１に２.３mm厚のテルル化カドミウムを用いて、バイアス電圧を８００Ｖ印加し、ガンマ線１４がセシウム１３７から発せられる６６２keＶである場合の、高速シェーピング回路８および低速シェーピング回路９からの信号の相関関係をプロットしたものを図２に示す。図２の上図は横軸（Ｓlow）が低速シェーピング回路９の波高値、縦軸（Ｆast）が高速シェーピング回路８の波高値としてプロットしたものである。なお縦軸の数値は、横軸の数値と最大値がほぼ同じとなるように規格化したものである。図２の下図は低速シェーピング回路９の波高値によって得られるエネルギースペクトルである。また縦軸および横軸は他に図３，図５，図６に関しても同様のことを意味するものである。図２において、６６２keＶフォトピーク２２は広がり２１をもっている。２.３mmという厚さに対して８００Ｖという電圧で全く補正を行わないと、広がり２１のようにシンチレータと同程度のエネルギー分解能しか得られない。この広がり２１が大きいことはエネルギー分解能が良くないことを意味するので、エネルギー分解能を良くするためには広がり２１を極力狭くする必要がある。
【００２７】
測定ではガンマ線１フォトンに対して高速シェーピング回路８の波高値と低速シェーピング回路９の波高値との２つの値が取得される。それを１点ずつプロットしたのが図２の上図、多数の入射フォトンに対して低速シェーピング回路９の波高値のヒストグラムを表わしたのが図２の下図となる。ここで主としてホールの再結合により失われる電荷分を補正する式として、本実施例による式を用いる。具体的には補正後波高値Ｈｓ′を、
Ｈｓ′＝Ｈｓ＋０.２６×（Ｈｓ−Ｈｆ）                         …（１）
としてプロットし直した結果を図３に示す。なおここでＨｓは測定された低速シェーピング回路９の波高値、Ｈｆは高速シェーピング回路８の波高値をＨｓに対して規格化した波高値である。また（１）式における０.２６という係数は測定条件や測定装置により最適な値が変化するため、測定系に応じて最適化すべきものである。また高速シェーピング回路８の波高値を規格化する理由はシェーピング時定数が異なる回路の出力レベルが異なるためで、補正時にはそれらを合わせる必要があるためである。規格化のやり方は別のやりかたでもよく、両方を共通の基準値で割ることにより規格化することなどが挙げられる。図２における６６２keＶフォトピークの集まり２３は補正後は図３における集まり３３に示されるように縦になっており、エネルギーのばらつきが減少していることを示している。また図３の下図のスペクトルから６６２keＶのフォトピークに対するエネルギー分解能が著しく改善されていることがわかる。
【００２８】
なお（１）式とは異なり、（Ｖｆ／Ｖｓ）を用いて補正を行う方法が非特許文献２に記載されている。ここでＶｆは高速シェーピング回路からの波高値、Ｖｓは低速シェーピング回路からの波高値である。この方法でもほぼ同様の効果が得られるが、十分とはいえない。それはＶｆやＶｓの値が小さいときにはその補正精度が悪化するためである。本実施例は（Ｖｆ／Ｖｓ）ではなく（Ｈｓ−Ｈｆ）を用いている。これは差分を用いることでＨｓやＨｆが小さいときの補正量も小さくなり、補正精度の悪化を防ぐという新規の効果がある。そのため（１）式と全く同じ式、同じ測定装置，同じ検出器を使用して、６６２keＶの他に57Ｃｏの１２２keＶ，60Ｃｏの１１７３keＶおよび１３３３keＶに適用したときの結果を図４に示す。図４に示したように、本実施例の補正式は差分を用いるため、広いエネルギー範囲で精度よく補正を行うことができる。その結果、広いエネルギー範囲で良好なエネルギー分解能が得られるのである。
【００２９】
なお本実施例では検出器１にテルル化カドミウムを用いたが、これはその材料を限定するものではない。なぜなら他の化合物半導体でもホールのμτ積が電子のμτ積より小さい場合があるためで、そのような性質の半導体であれば本処理方法は有効である。また本処理方法は単に放射線計測装置にとどまらず、核医学診断装置の低コスト化および性能向上に顕著な効果がある。これは厚い素子を使用することで著しく低コスト化でき、また厚い素子でも従来とは異なりエネルギー分解能を広いエネルギー範囲にわたって良好に保持できるからである。また、本処理方法により、放射線計測装置あるいは核医学診断装置に従来より厚いＣｄＴｅ素子を用いることができ、例えばＳＰＥＣＴ装置用に多くのテルル化カドミウム素子を使用する場合、その使用個数を減らすことでコストを低減する効果がある。
【実施例２】
【００３０】
（１）式は（Ｈｓ−Ｈｆ）という２種類の異なる時定数のシェーピング回路の波高値の差分を用いたものであった。しかし図３の上図における６６２keＶに相当するプロット点の集合は湾曲が残っており、さらに補正の余地がある。この湾曲を極力直線的とするため、（Ｈｓ−Ｈｆ）にＨｓを乗じＨｆで除する（Ｈｓ−Ｈｆ）Ｈｓ／Ｈｆを用いるとよいことを見出した。Ｈｓを乗じるのは電子とホールとを合わせた全体の電荷量が多い場合に補正量を多くし、Ｈｆで除するのは電子の寄与が小さいすなわちホールの寄与が大きい場合に補正量を増やすためである。なおＨｓ／Ｈｆを用いると非特許文献２のＶFast／ＶSlowを用いる場合と同様にＨｓやＨｆの値が小さいときに補正精度の低下が懸念されるが、（Ｈｓ−Ｈｆ）が乗じられていることでその影響は小さくなる。結局、図２における測定値に対して実施例１の場合と同様に補正後波高値Ｈｓ′を次式とした。
Ｈｓ′＝Ｈｓ＋０.２１５×（Ｈｓ−Ｈｆ）Ｈｓ／Ｈｆ             …（２）
【００３１】
本式により補正したＨｓ′を横軸に、Ｈｆを縦軸として図２の測定値をプロットし直した結果が図５である。図５における広がり５１は実施例１の結果を示す図３における広がり３１よりも狭く、良好なエネルギー分解能が得られることがわかる。なお図示していないが、（２）式を用いた場合も広いエネルギー範囲にわたってエネルギー分解能の改善効果が得られることを確認した。
【実施例３】
【００３２】
また、ＨｓとＨｆとの差分である（Ｈｓ−Ｈｆ）に対して、電子の寄与が小さいすなわちホールの寄与が大きい場合に補正量を増やすためＨｆで除した演算すなわち（Ｈｓ−Ｈｆ）／Ｈｆを用い、さらにそれに指数関数を適用することでも良好な結果が得られる。すなわち図２における測定値に対して実施例１の場合と同様に補正後波高値Ｈｓ′を次式とした。
Ｈｓ′＝Ｈｓ×exp（０.２２５×（Ｈｓ−Ｈｆ）／Ｈｆ）          …（３）
【００３３】
本式により補正したＨｓ′を横軸に、Ｈｆを縦軸として図２の測定値をプロットし直した結果が図６である。実施例３の場合も実施例１の場合と同様に、広がり６１は広がり３１より狭く、良好なエネルギー分解能が得られることがわかる。実施例２の結果である図５の結果とほとんど変わらないように見えるが、実際にはわずかであるが図５より図６の方が改善されている。これは半導体におけるキャリヤの運動が指数関数で表わされるため、補正式も指数関数を用いることで良好な補正が可能なためである。なお図示していないが、（３）式を用いた場合も実施例１および実施例２の場合と同様に、広いエネルギー範囲にわたってエネルギー分解能の改善効果が得られることを確認した。
【実施例４】
【００３４】
実施例１〜３では図１に示したように１個の検出器に対して２個のシェーピング回路を使用した回路構成とした。上述した実施例はさらに別の回路構成に対しても適用可能である。図７は第４の実施例を示した回路構成で、本実施例ではアレイ検出器７１を使用した場合を示している。なおこの構成は特許文献１で開示されているものと同じものであるが、特許文献１では上述した実施例に示した効果が大きい方法は開示されていなかった。アレイ検出器７１はガンマ線７０の入射位置も判定するために用いられものである。アレイ検出器７１はピクセル数１６に対して接続線が合計８本出ており、図７はそのうちの２本に対する接続を示したものである。増幅回路７３および増幅回路８３，コンデンサ７４およびコンデンサ８４，抵抗７５および抵抗８５，コンデンサ７６およびコンデンサ８６はそれぞれ図１における増幅回路３，コンデンサ４，抵抗５，コンデンサ６と機能は全く同じである。ただし図７では高電圧電源２側からも信号を取得するための抵抗７７が接続され、増幅回路７３の後段には高速シェーピング回路７８とＡ／Ｄ変換器７９との１系統のみが、増幅回路８３の後段には低速シェーピング回路８８とＡ／Ｄ変換器８９との１系統のみがそれぞれ接続される。
【００３５】
アレイ検出器７１は１６ピクセルを有しており、もし個々のピクセルに専用の増幅回路を接続すると増幅回路は１６個、シェーピング回路はその２倍の３２個が必要となる。しかし本実施例の接続方法を用いれば増幅回路は８個、シェーピング回路も高速と低速とを合わせて８個用意すれば済み、回路系統数を大幅に減らすことができる。このような構成に上述した補正処理方法は適用可能であり、特に多くのピクセルを必要とするガンマカメラやＳＰＥＣＴ装置など核医学診断装置に対してその低コスト効果が著しいものである。
【産業上の利用可能性】
【００３６】
放射線、とりわけガンマ線の計測において正確なエネルギー情報を得るためには、エネルギー弁別能力が高い半導体検出器を用いることが有効で、本発明はホールのμτ積が電子のμτ積より著しく小さい半導体放射線検出器を用いた放射線計測装置全般に適用されるものである。また、核医学診断装置に対しても同様であり、本発明の第一の実施例の放射線計測装置を搭載した単光子放射断層撮影装置（ＳＰＥＣＴ装置）を図８に示す。ＳＰＥＣＴ装置は、ＳＰＥＣＴ装置本体２０１，コリメータを内蔵した検出器プレート２０７および検出器プレート２０８，被検体を載せるベッド２０２，データ処理装置２０３，表示装置２０４を有する。被検体２０６はベッド２０２に寝かせられて、計測空間２０５内へ配置され、ＳＰＥＣＴ装置で放射線を計測される。外観は従来のＳＰＥＣＴ装置と同様であるが、検出器にエネルギー弁別能力に優れた半導体を用いている。そのため放射性薬剤が発するガンマ線が途中体内で散乱されて生じるノイズ成分の除去能力が高く、高い画質が得られる。本発明により厚い半導体検出素子が使用できるため、低コストで装置を製作することが可能である。また性能は薄い半導体検出器と同等であり、半導体検出器の良好なエネルギー分解能という特徴は失われていない。そのため従来のシンチレータを使用したＳＰＥＣＴ装置よりも高画質が実現されつつ、高価であるという欠点を有する半導体検出器によるコスト増加を抑制することができる。その他ＰＥＴ装置にも適用できる。
【符号の説明】
【００３７】
１  検出器
２  高電圧電源
３，７３，８３  増幅回路
４，６，７４，７６，８４，８６  コンデンサ
５，７，７５，７７，８５  抵抗
８  高速シェーピング回路
９  低速シェーピング回路
１０，１１  Ａ／Ｄ変換器
１２  演算器
１３  データ出力
１４  ガンマ線
７１  アレイ検出器
２０１  ＳＰＥＣＴ装置本体
２０２  ベッド
２０３  データ処理装置
２０４  表示装置
２０５  計測空間
２０６  被検体
２０７，２０８  検出器プレート
【図１】
0005427655.tif 000002
【図２】
0005427655.tif 000003
【図３】
0005427655.tif 000004
【図４】
0005427655.tif 000005
【図５】
0005427655.tif 000006
【図６】
0005427655.tif 000007
【図７】
0005427655.tif 000008
【図８】
0005427655.tif 000009